(57)【特許請求の範囲】
【請求項１】
調節可能な行程運動（ｈ）を行わせる駆動装置（２３）を備えたローラ（０２）であって、該ローラ（０２）が、枢着的に支承された連結装置（０８）の第１の端部（０７）に結合されており、連結装置（０８）の第２の端部（２２）が駆動装置（２３）に、該駆動装置の回転軸線（２７）に関して偏心的に結合されている形式のものにおいて、
駆動装置（２３）の回転数と、ローラ（０２）の回転数とが互いに相対的に変更可能であることを特徴とするローラ。
【請求項２】
ローラ（０２）において、ローラ（０２）のローラジャーナル（０３）一方の端部（０５）に、連結ロッド（０８）の第１の端部（０７）が枢着されていて、ローラ（０２）の回転軸線（０６）を中心として連結ロッド（０８）の回転運動を行わせるために、サイドフレーム（０１）に支持された、回転数調節可能な駆動装置（２３）が設けられており、該駆動装置（２３）が、駆動する軸端部（１８）を介して嵌め合いにより、てこ作用を生ぜしめるエレメント（１３）を介して、連結ロッド（８）の第２の端部（２２）に結合されていて、駆動装置（２３）の回転軸線（２７）とローラ（０２）の回転軸線（０６）との間の開放角（α）が駆動装置（２３）の傾動により変更可能であることを特徴とするローラ。
【請求項３】
駆動装置（２３）が、回転数及び／又は位置調節可能なモータである、請求項１記載のローラ。
【請求項４】
ローラ（０２）の回転軸線（０６）と、駆動装置（２３）の軸端部（１８）の回転軸線（２７）とが鋭角（α）を形成するように交差する、請求項１記載のローラ。
【請求項５】
前記角度（α）が可変に調節可能である、請求項４記載のローラ。
【請求項６】
駆動装置（２３）の回転数が無段階式に調節可能である、請求項１記載のローラ。
【請求項７】
てこ作用を生ぜしめるエレメント（１３）として、一腕式のレバー（１３）または二腕式のレバー、またはプレートが設けられており、これらがそれぞれ回動不能に軸端部（１８）に結合されている、請求項２記載のローラ。
【請求項８】
連結ロッド（０８）が直接的にまたは間接的にプレートに枢着されており、該プレートが軸端部（１８）上に回動不能に固定されている、請求項２記載のローラ。
【請求項９】
ローラ（０２）のローラボディ端面とサイドフレーム（０１）の１つとの間に、ばね力貯え器が配置されている、請求項２記載のローラ。
【発明の詳細な説明】
【０００１】
【発明の属する技術分野】
本発明は、請求項１の上位概念記載の形式の輪転印刷機のためのローラに関する。
【０００２】
ドイツ連邦共和国特許第１２４０８８８号明細書により、軸方向の行程を変化させるための装置を備えた、インキローラの軸方向の往復運動を行うための装置が公知である。
【０００３】
本発明の課題は、軸方向で横振り可能なローラを提供することにある。
【０００４】
この課題は本発明によれば請求項１の特徴部により解決される。
【０００５】
本発明により得られる利点は特に、運転中に行程振動数及び／又は行程長さを選択的に調節できることにある。
【０００６】
次に図面につき本発明の実施例を詳しく説明する。
【０００７】
２つのサイドフレーム０１（そのうち一方のサイドフレーム０１を示す）には、１つの駆動可能なローラ０２の両ローラジャーナル０３が配置されている。このローラ０２は例えばインキならしローラであって、回転可能かつ軸方向移動可能に配置されている。例えば±２５ｍｍである所望の行程±ｈは段階的にまたは無段階的に調節可能である。
【０００８】
ローラジャーナル０３を支承するための、例えば滑り軸受である軸受０４がサイドフレーム０１に設けられた孔に設けられている。
【０００９】
一方のローラジャーナル０３の端部、例えばローラジャーナル０３の端部の端面０５には、ローラジャーナル０３の回転軸線０６の領域で、例えば可動性（自由度）ｆ＝４を有したジョイント１９が取り付けられている。このジョイント１９は、例えば抗張・抗圧式の球形管状ジョイントとして形成されている。このジョイント１９の球形ジャーナル０９は端面０５に取り付けられており、球面ブシュ１０は曲げ剛性的な連結ロッド０８の第１の端部０７に取り付けられている。
【００１０】
曲げ剛性的な連結ロッド０８の第２の端部２２には別の球面ブシュ２１が取り付けられている。
【００１１】
回転可能に駆動可能な一腕式のレバー１３の外側の端部１２またはプレートの高い半径部には、例えば可動性（自由度）ｆ＝４を有したジョイント１１が取り付けられている。このジョイント１１は、例えば抗張・抗圧式の球形管状ジョイントとして形成されている。このジョイント１１の球形ジャーナル１５はレバー１３の外側の端部１２に位置しており、球面ブシュ２１と嵌め合いにより接続されている。
【００１２】
レバー１３の一方の端部２５は、例えば回転数調節される電動モータ２３である駆動装置２３の、回転軸線２７を中心として回転する軸１８に回動不能に固定されている。軸１８はこの場合、電動モータ２３の駆動軸であってよい。
【００１３】
回転軸線０６と２７とは互いに、第１の極限位置では合致し、第２の極限位置では例えば３０°である角度αを形成するように整合させることができる。この角度αは段階的にまたは無段階式に調節可能および固定可能である。
【００１４】
角度αの調節は、この実施例では駆動モータ２３である駆動装置の傾動により直接的に行うことができる。このために例えば駆動モータ２３の下方には、駆動軸端部近傍の前方脚部が設けられていて、この脚部は揺動体２４に固定されている。この揺動体２４はジョイント、例えば自由度１を有した回転ジョイントを介してサイドフレーム０１に旋回可能に結合されている。このジョイント２６のリンクは、力を伝達する際には側方の傾動ができないように支承されている。
【００１５】
さらに駆動モータ２３の下方には、後方に、即ち駆動軸端部から遠い方に、アイの形の軸受３１が設けられている。この軸受３１は、直線駆動装置２８のフォーク形ヘッド１４に枢着的に結合されている。
【００１６】
直線駆動装置２８は例えば、ハンドル車３７によってまたはモータによって２方向に駆動可能なねじ山付きスピンドル２９から成っている。このねじ山付きスピンドル２９の上方の端部はフォーク形ヘッド１４に回転可能に結合されている。ねじ山付きスピンドル２９のねじ山は、ねじ山付きナット２０の雌ねじ山に係合している。ねじ山付きナット２０は、サイドフレーム不動の保持装置３２に固定されている。
【００１７】
駆動装置２３の、ひいては駆動エレメントの所望の方向への旋回、即ちレバー１３の旋回は、直線駆動装置２８を相応に操作することによって行われる。ねじ山付きスピンドル２９が左もしくは右に旋回されると、駆動装置２３の端部が昇降運動し、ひいてはレバー１３も旋回する。このレバー１３は、連結レバー０８に、ひいてはローラジャーナル０３に押圧力もしくは引張力を加える。
【００１８】
ねじ山付きスピンドル２９の回動により即ち、行程ｈが相応に変化する。
【００１９】
行程ｈ±は、駆動装置２３が停止すると、または角度αが０になると、０になる。
【００２０】
レバー１３は、一腕式のレバーまたは二腕式のレバーとして形成することができる。レバー１３の代わりに、回転するプレートが設けられていてもよい。
【００２１】
行程振動数を調節することができるように、駆動装置２３、例えば電動モータは、回転数制御または調節される駆動装置として形成されている。駆動装置２３の回転数が上昇されると、比例して行程振動数も上昇する。駆動装置２３の回転数が減少すると、これに比例して行程振動数も減少する。駆動装置２３がスイッチオフされると、ならしローラ０２はもはや行程運動を行わない。
【００２２】
変化実施例によれば付加的に、サイドフレーム０１とならしローラ０２の右側の端面との間に、蓄力器、即ち例えば圧縮ばね（図示せず）を配置することもできる。これにより連結ロッド０８は最終的には引張負荷をかけられる。このようなことは、ならしローラ０２が左から右へと運動しこの場合、圧縮ばねが圧縮されると行われる。引き続きならしローラ０２が右から左へ運動すると、圧縮ばねは再び弛緩され、蓄えた力を再び放出する。
【００２３】
しかしまた圧縮ばねを、ならしローラ０２の左側の端面と、左側のサイドフレームとの間に配置することもできる。これにより連結ロッド０８は、押圧負荷しかかけられなくなる。
【図面の簡単な説明】
【図１】横振り可能なローラとその行程運動駆動装置とを概略的に示した側方図である。
【符号の説明】
０１  サイドフレーム、  ０２  ならしローラ、  ０３  ローラジャーナル、  ０４  軸受、  ０５  端面、  ０６  回転軸線、  ０７  第１の端部、  ０８  連結ロッド、  ０９  球形ジャーナル、  １０  球面ブシュ、  １１  ジョイント、  １２  外側の端部、  １３  レバー、  １４  フォーク形ヘッド、  １５  球形ジャーナル、  １８  軸、  １９  ジョイント、  ２０  ねじ山付きナット、  ２１  球面ブシュ、  ２２  第２の端部、  ２３  駆動装置、  ２４  揺動体、  ２５  第１の端部、  ２６  回転ジョイント、  ２７  回転軸線、  ２８  直線駆動装置、  ２９  ねじ山付きスピンドル、  ３１  軸受、  ３２  保持装置、  ３３  一腕式のレバー、  ３４  二腕式のレバー、  ３７  ハンドル車、  ３８  均衡ウェイト、  Ａ  行程方向、  Ｂ  旋回方向、
【図１】
0003609343.tif 000002